(57)【要約】      （修正有）【課題】観察角度をずらしても意図しない色合いの変化を抑制し、モアレの発生を抑えた立体画像印刷物を提供する。【解決手段】立体画像印刷物は、複数の半円筒状レンズが連続的に配列されてなるレンチキュラーレンズと、レンチキュラーレンズの背面に貼付される網点画像印刷物３とにより構成される。網点画像印刷物は、格子状に配列された画素を画素ごとに印刷されたもので、色版ごとに網点角度が施されており、隣接する網点同士が接している。【選択図】図３
0003139498.tif 000002
【実用新案登録請求の範囲】
【請求項１】
複数の半円筒状レンズが連続的に配列されてなるレンチキュラーレンズと、
前記レンチキュラーレンズの背面に配置され、各半円筒状レンズに対応して複数の細長画像が連続的に配列された網点画像印刷物とを備えており、
前記網点画像印刷物は、色版ごとに網点角度が施されており、隣接する網点同士が接していることを特徴とする立体画像印刷物。
【請求項２】
前記網点画像印刷物の網点は、格子状に配列され、矩形状の網点が辺で接していることを特徴とする請求項１に記載の立体画像印刷物。
【考案の詳細な説明】
【技術分野】
【０００１】
本考案は、レンチキュラーレンズを用いた立体画像印刷物に関し、詳しくは、レンチキュラーレンズの背面に配置され、濃度階調表現に係る網点画像印刷物の網点印刷技術に関する。
【背景技術】
【０００２】
従来、商品やサービスの広告用に、ポスターや広告印刷物を見る者に目立たせるため、商品やサービスの象徴的な画像を立体的に見えるようレンチキュラーレンズを用いた立体画像印刷物が利用されている。このような立体画像印刷物は、異なる角度から撮影された画像が、短冊状に分割されて、レンチキュラーレンズの背面にその半円筒状レンズに沿って配列されたものである（例えば、特許文献１〜４）。近年では、一つの半円筒状レンズに対して３０〜８０枚もの短冊状の縦長画像を配置させる研究も行われ、高精度な網点印刷処理が要望されてきている。
【０００３】
また、レンチキュラーレンズの背面に配置される網点画像印刷物を印刷するにあたっては、モアレを解消するために、ＣＭＹＫの色版による網点印刷の際、ＣＭＹＫの色版ごとに網点角度を施すことが知られている（例えば、特許文献１、２、４）。
【０００４】
【特許文献１】特開２００６−２５９６４５号公報
【特許文献２】特開２００６−２５１６０８号公報
【特許文献３】特開２００７−２３３１０５号公報
【特許文献４】特開平９−６１９５０号公報
【考案の開示】
【考案が解決しようとする課題】
【０００５】
ところが、従来の立体画像印刷物では、単にＣＭＹＫの色版ごとに網点角度を施すことだけでは、ＣＭＹＫの各網点が共通の縦軸を持たないために、観察角度を横方向にずらしていくと、意図しない色合いの変化が生じるという問題があった（参照特許文献１、段落〔００１２〕〜〔００１３〕）。すなわち、図９に示すように、図９（Ａ）に示す網点画像印刷物１４が、図９（Ｂ）に示すレンチキュラーレンズ４の背面に配置されている場合に、観察角度を横方向にずらしていくと、図９（Ｃ）に示すように、分割された短冊状の画像（縦長画像）において、レンチキュラーレンズ４の半円筒状レンズ４ｂによって拡大される領域が、徐々に左右に移っていくが、その中に、網点が印刷されていないまとまりを持った領域を含むことがあるために、意図しない色合いの変化が生じてしまっていた。
【０００６】
そこで、本考案は、観察角度をずらしても意図しない色合いの変化を抑制し、モアレの発生を抑えた立体画像印刷物を提供することを目的とする。
【課題を解決するための手段】
【０００７】
本考案に係る立体画像印刷物は、複数の半円筒状レンズが連続的に配列されてなるレンチキュラーレンズと、前記レンチキュラーレンズの背面に配置され、各半円筒状レンズに対応して複数の細長画像が連続的に配列された網点画像印刷物とを備えており、前記網点画像印刷物は、色版ごとに網点角度が施されており、隣接する網点同士が接していることを特徴とする。
【０００８】
この立体画像印刷物によれば、網点画像印刷物は、色版ごとに網点角度が施されているために、レンチキュラーレンズを通して網点画像印刷物を観察してもモアレの発生は抑えられ、しかも、隣接する網点同士が接する程、網点が密に印刷されているため、画像において色彩が連続する中で、網点が印刷されていないまとまりを持った領域は生じず、したがって、観察角度をずらしても意図しない色合いの変化は抑制される。
【０００９】
また、この立体画像印刷物において、網点画像印刷物の網点は、格子状に配列され、矩形状の網点が辺で接しているとより好ましい。この構成により、網点がより密になり、網点が印刷されない領域が生じず、観察角度のズレによる意図しない色合いの変化も解消される。
【考案の効果】
【００１０】
本考案によれば、観察角度をずらしても意図しない色合いの変化が抑制され、モアレの発生も抑えられる。
【考案を実施するための最良の形態】
【００１１】
以下、図面を参照しながら、本考案に係る立体画像印刷物の好適な実施形態について説明する。
【００１２】
＜第１実施形態＞
まず、第１実施形態に係る立体画像印刷物５について説明する。図１は、立体画像印刷物に用いられる網点画像印刷物３の作製方法を示した図である。図１（Ａ）に示すように、ステレオカメラ１の各カメラ１ａ、１ｂ、１ｃ、１ｄを水平に配列するように設置して、被写体２を撮影する。図１（Ｂ）は、各カメラ１ａ〜１ｄによって撮影された画像を示し、図１（Ｂ）のＢ−１は、カメラ１ａによって撮影された画像Ｇ１、図１（Ｂ）のＢ−２は、カメラ１ｂによって撮影された画像Ｇ２、図１（Ｂ）のＢ−３は、カメラ１ｃによって撮影された画像Ｇ３、図１（Ｂ）のＢ−４は、カメラ１ｄによって撮影された画像Ｇ４である。これらの画像Ｇ１〜Ｇ４は、使用されるレンチキュラーレンズの半円筒状レンズの個数に応じて、縦に分割される。
【００１３】
図１（Ｂ）において、Ｂ−１の画像Ｇ１が分割された画像を左から順に、縦長画像ｓ１１、ｓ１２、ｓ１３、…とする。同様に、Ｂ−２の画像Ｇ２が分割された画像を、縦長画像ｓ２１、ｓ２２、ｓ２３、…とし、Ｂ−３の画像Ｇ３が分割された画像を、縦長画像ｓ３１、ｓ３２、ｓ３３、…とし、Ｂ−４の画像Ｇ４が分割された画像を、縦長画像ｓ４１、ｓ４２、ｓ４３、…とする。
【００１４】
そして、図１（Ｃ）に示すように、画像Ｇ１〜Ｇ４の各縦長画像を一つずつ画像Ｇ１〜Ｇ４の順に配列させる。すなわち、左から順に、
ｓ１１、ｓ２１、ｓ３１、ｓ４１、ｓ１２、ｓ２２、ｓ３２、ｓ４２、ｓ１３、ｓ２３、ｓ３３、ｓ４３、ｓ１４、ｓ２４、ｓ３４、ｓ４４、…
と配列する。
【００１５】
そのうえで、
ｓ１１、ｓ２１、ｓ３１、ｓ４１をグループＧｒ１、
ｓ１２、ｓ２２、ｓ３２、ｓ４２をグループＧｒ２、
ｓ１３、ｓ２３、ｓ３３、ｓ４３をグループＧｒ３、
ｓ１４、ｓ２４、ｓ３４、ｓ４４をグループＧｒ４、
……
とすると、各グループＧｒをレンチキュラーレンズの半円筒状レンズの背面に配置されて、レンチキュラーレンズの背面全体にわたって配置されるように、上下左右方向に拡大ないし縮小して網点画像印刷物３とする。
【００１６】
次に、図２を用いてレンチキュラーレンズ４の背面４ａへの網点画像印刷物３の配置について説明する。図２は、立体画像印刷物５の分解斜視図である。図２に示すように、網点画像印刷物３は、各グループＧｒが連接されて構成され、各グループＧｒの縦長画像は、レンチキュラーレンズ４における一つの半円筒状レンズ４ｂの背面に合うように配置されて、背面４ａへ貼り合わされる。
【００１７】
続いて、図３を用いて網点画像印刷物３に網点印刷を行う仕方について説明する。図３（Ａ）は、網点画像印刷物３の網点印刷を説明するための図であり、図３（Ｂ）は、網点画像印刷物３に貼付されるレンチキュラーレンズ４の半円筒状レンズ４ｂの位置関係を説明するための図であり、図３（Ｃ）は、網点画像印刷物３の部分拡大図である。
【００１８】
ここでは、一つの半円筒状レンズ４ｂの背面に貼付される縦長画像が１０本あり（１０画素）、階調表現として１０画素分を用いる場合について説明する。この場合、図３（Ａ）に示すように、１０本の縦長画像が横方向に配列され、１本の縦長画像について、縦方向１０画素を用いて、ＣＭＹＫのいずれかの色版でその階調度に応じて格子状に印刷する。なお、隣接する画素は、互いに直線の辺で接しており、各画素は網点印刷の網点に相当する。
【００１９】
図３（Ａ）に示す例では、このような１０×１０個に格子状に配列された画素に対して、色版の階調度により、左の縦長画像から順に１、１、２、３、４、６、６、７、８、９画素分を、網点角度をつけて印刷する。すなわち、縦長画像の網点角度を有する中心線６を中心に、１画素分を印刷する場合は、その中心線６が通る画素を印刷し、２画素分を印刷する場合は、その中心線６が通る画素と、その画素の上下に隣接するいずれかの画素を印刷する。３画素分を印刷する場合は、その中心線６が通る画素と、その画素の上下に隣接するそれぞれの画素（合計３画素）を印刷する。このようにして、縦長画像の網点角度を有する中心線６を中心に、必要な画素数分を上下方向に印刷する。なお、印刷が必要な画素が、縦方向に配列されている１０画素の中で、最も上の画素まで達してもなお印刷の必要のある画素がある場合は、最も下の画素から上方へ向けて印刷する画素を加えていく。また、印刷が必要な画素が、縦方向に配列されている１０画素の中で、最も下の画素まで達してもなお印刷の必要のある画素がある場合は、最も上の画素から下方へ向けて印刷する画素を加えていく。
【００２０】
このように画素を印刷した場合、隣接した印刷画素は、互いに直線辺で密に接しているため、画像において色彩が連続する中で、画素が印刷されていないまとまりを持った領域は生じない。したがって、観察角度をずらしても意図しない色合いの変化は生じない。すなわち、観察角度を横方向にずらしていくと、図３（Ｃ）に示すように、縦長画像において、レンチキュラーレンズ４の半円筒状レンズ４ｂによって拡大される領域が、徐々に左右に移っていくが、画像において色彩が連続する中で、画素が印刷されていないまとまりを持った領域というのはないため、意図しない色合いの変化は生じないのである。また、網点画像印刷物３を印刷するにあたって、カラーマッチング手法を採用することもでき、色彩の再現性を向上させることができる。
【００２１】
＜第２実施形態＞
次に、図４を参照して第２実施形態における立体画像印刷物について説明する。第２実施形態の特徴は、複数の色版を用いて網点画像印刷物７を印刷する点にあり、その他は、第１実施形態と同様である。
【００２２】
図４に示すように、網点画像印刷物７には、ＣＭＹＫの色版によって網点（画素）を印刷され、モアレが発生しないように、各網点角度は、Ｃ：１５°、Ｍ：７５°、Ｙ：０°、Ｋ：４５°とし、各色版の中心線６は、できるだけ印刷画素が広く散在するように設定されている。なお、各色版の印刷する画素は、便宜上、ここでは、１画素分とする。一つの同じ画素に対して、複数の色版が重なり合う場合は、それらの色の混色となる。
【００２３】
この第２実施形態に示すように、複数の色版を用いて網点画像印刷物７を印刷する場合、網点角度を施して印刷するため、モアレの発生を抑制することができる。また、隣接した印刷画素は、互いに直線辺で密に接しているため、画像において色彩が連続する中で、画素が印刷されていないまとまりを持った領域は生じない。したがって、観察角度をずらしても意図しない色合いの変化は生じない。さらに、できるだけ印刷画素が広く散在するよう各色版の中心線６が設定されているため、網点画像印刷物７の地色部分や混色部分の集中する割合が抑制されるため、直線状に同じ色が発生することも防止することができる。また、第１実施形態と同様、網点画像印刷物７を印刷するにあたって、カラーマッチング手法を採用することもでき、色彩の再現性を向上させることができる。
【００２４】
なお、上記第２実施形態では、各色版の印刷する画素は、便宜上、１画素分としたが、各色版で複数の画素を印刷する場合には、第１実施形態と同様、中心線６を中心として上下方向に延在するように印刷するとよい。
【００２５】
＜第３実施形態＞
次に、図５を参照して第３実施形態における立体画像印刷物について説明する。第３実施形態の特徴は、第２実施形態における網点角度を等価の角度に変更した例である。具体的には、色版のうちＭの網点角度を、第２実施形態では７５°としたのに対して、第３実施形態では図５に示すように−１５°としている。その他は、第２実施形態と同様である。
【００２６】
この第３実施形態に示すように、複数の色版を用いて網点画像印刷物８を印刷する場合に、モアレを生じないように、等価の網点角度に変更することができる。すなわち、網点角度が４５°を超える場合は、その網点角度を９０°逆回転させた負の角度に設定することができる。また、隣接した印刷画素は、互いに直線の辺で密に接しているため、画像において色彩が連続する中で、画素が印刷されていないまとまりを持った領域は生じず、観察角度をずらしても意図しない色合いの変化は生じない。よって、第２実施形態と同様の効果が得られる。
【００２７】
＜第４実施形態＞
続いて、図６を参照して第４実施形態における立体画像印刷物について説明する。第１実施形態では中心線６を中心として上下方向に延在するように画素を印刷したのに対して、第４実施形態では、図６に示すように、網点角度を有する基準線９に対して、下方に向けて必要な画素数分だけ画素を印刷する点に特徴がある。なお、印刷が必要な画素が、縦方向に配列されている１０画素の中で、最も下の画素まで達してもなお印刷の必要のある画素がある場合は、最も上の画素から下方へ向けて印刷する画素を加えていく。
【００２８】
第４実施形態のように、網点画像印刷物１１を印刷する場合に、網点角度を有する基準線９に対して下方に向けて必要な画素数分だけ画素を印刷すると、隣接した印刷画素は、互いに直線の辺で密に接しているため、画像において色彩が連続する中で、画素が印刷されていないまとまりを持った領域は生じず、観察角度をずらしても意図しない色合いの変化は生じない。よって、第１実施形態と同様の効果が得られる。
【００２９】
なお、第４実施形態においては、基準線９に対して下方に向けて必要な画素数分だけ画素を印刷したが、その代わりに、基準線９に対して上方に向けて必要な画素数分だけ画素を印刷するようにしてもよい。また、第２、第３実施形態のように、複数の色版を用い、各色版に網点角度を持たせて網点画像印刷物１１を印刷するようにしてもよい。
【００３０】
＜第５実施形態＞
続いて、図７を参照して第５実施形態における立体画像印刷物について説明する。第５実施形態は、網点角度を有する中心線６の設定に特徴がある。第１実施形態は、１０×１０の画素についての説明であったが、第５実施形態では、隣接する１０×１０の画素の集合に対する中心線６の設定について説明する。
【００３１】
図７に示すように、網点画像印刷物１２において、網点角度が施された各中心線６が、隣接する１０×１０の画素に渡って連続的に延在するように設定する。画素への印刷は、このような中心線６を基準として、第１〜３実施形態と同様に行うとよい。また、この中心線６を第４実施形態で示した基準線として画素への印刷を行ってもよい。
【００３２】
＜第６実施形態＞
続いて、図８を参照して第６実施形態における立体画像印刷物について説明する。第６実施形態は、隣接する１０×１０の画素の集合に対する中心線６の設定に特徴があるが、第５実施形態の設定とは異なる。すなわち、第５実施形態では、隣接する複数の１０×１０の画素集合に渡って連続的に延在するように設定したが、第６実施形態では、網点画像印刷物１３において、１０×１０の画素集合ごとに中心線６をずらしていく点に特徴がある。
【００３３】
画素の印刷は、第１実施形態と同様に、中心線６を中心として、上下方向に向けて必要が画素分行う。なお、これに対して、第２、第３実施形態のように、複数の色版を用いて、各色版に網点角度を付けつつ画素を印刷してもよい。また、この中心線６を第４実施形態で示した基準線とし画素への印刷を行ってもよい。
【００３４】
以上のように、上記第１〜第６実施形態によれば、網点画像印刷物の画素印刷にあたって、網点角度が施されているため、モアレの発生を抑制することができる。また、隣接した印刷画素は、互いに直線辺で密に接しているため、画像において色彩が連続する中で、画素が印刷されていないまとまりを持った領域は生じず、したがって、観察角度をずらしても意図しない色合いの変化は生じない。また、網点画像印刷物を印刷するにあたって、カラーマッチング手法を採用することもでき、色彩の再現性を向上させることができる。さらに、一つの縦長画像の階調表現に利用している画素は、縦方向のみであるので、ＡＭスクリーンよりも多くの縦長画像を採用することができ、高精度な立体画像を実現することができる。
【００３５】
なお、本考案は、上記実施形態に限られない。
【００３６】
上記各実施形態では、各半円筒状レンズの形状に合わせて、その直下に画像データ数分の縦長画像を配列させた網点画像印刷物を貼り合せたが、各半円筒状レンズと網点画像印刷物とが対応していれば、この配置に限らなくとも良い。例えば、立体画像印刷物の中央上方から立体画像印刷物を観察することを想定し、その観察点から半円筒状レンズを通して見える範囲に、網点画像印刷物の対応する範囲を配置するようにしてもよい。この場合、半円筒状レンズに対応する網点画像印刷物の幅は、半円筒状レンズのピッチが一定であっても、半円筒状レンズの位置によって変化する。
【００３７】
また、上記実施形態では、網点として矩形状の画素を用いたが、隣接する網点同士が接するよう密に配置されるならば、点状の網点であってもよい。
【図面の簡単な説明】
【００３８】
【図１】立体画像印刷物に用いられる網点画像印刷物の作製方法を示した図であり、  （Ａ）はステレオカメラによって被写体を撮影する様子を示す図、  （Ｂ）はステレオカメラの各カメラによって撮影され、網点画像印刷物を作成するために分割されることを示す図、  （Ｃ）は分割された縦長画像が組み合わされて作成された網点画像印刷物を示す図である。
【図２】立体画像印刷物の分解斜視図である。
【図３】第１実施形態の立体画像印刷物を説明する図であり、  （Ａ）は網点画像印刷物を示す図であり、  （Ｂ）は網点画像印刷物に対するレンチキュラーレンズの配置を示す図であり、  （Ｃ）は視点の移行により拡大される領域が移る様子を示す図である。
【図４】第２実施形態の立体画像印刷物を説明する図であり、  （Ａ）は網点画像印刷物を示す図であり、  （Ｂ）は網点画像印刷物に対するレンチキュラーレンズの配置を示す図である。
【図５】第３実施形態の立体画像印刷物を説明する図であり、  （Ａ）は網点画像印刷物を示す図であり、  （Ｂ）は網点画像印刷物に対するレンチキュラーレンズの配置を示す図である。
【図６】第４実施形態の立体画像印刷物を説明する図であり、  （Ａ）は網点画像印刷物を示す図であり、  （Ｂ）は網点画像印刷物に対するレンチキュラーレンズの配置を示す図である。
【図７】第５実施形態の立体画像印刷物を説明する図であり、  （Ａ）は網点画像印刷物を示す図であり、  （Ｂ）は網点画像印刷物に対するレンチキュラーレンズの配置を示す図である。
【図８】第６実施形態の立体画像印刷物を説明する図であり、  （Ａ）は網点画像印刷物を示す図であり、  （Ｂ）は網点画像印刷物に対するレンチキュラーレンズの配置を示す図である。
【図９】従来の立体画像印刷物を説明する図であり、  （Ａ）は網点画像印刷物を示す図であり、  （Ｂ）は網点画像印刷物に対するレンチキュラーレンズの配置を示す図であり、  （Ｃ）は視点の移行により拡大される領域が移る様子を示す図である。
【符号の説明】
【００３９】
１…ステレオカメラ、２…被写体、３，７，８，１１，１２，１３…網点画像印刷物、４…レンチキュラーレンズ、４ａ…背面、４ｂ…半円筒状レンズ、５…立体画像印刷物、６…中心線、９…基準線。
【図１】
0003139498.tif 000003
【図２】
0003139498.tif 000004
【図３】
0003139498.tif 000005
【図４】
0003139498.tif 000006
【図５】
0003139498.tif 000007
【図６】
0003139498.tif 000008
【図７】
0003139498.tif 000009
【図８】
0003139498.tif 000010
【図９】
0003139498.tif 000011